(57)【要約】【課題】火薬を使用して物体を放出する砲身内部の掃除用具の提供。【解決手段】把持杆１の先端に適度の肉厚と若干柔軟度を有するパット２と、該パット２を上下面から挟むように払拭部材３、４を装着し、該払拭部材３、４は、ナイロン不織布からなるフェルト状をなし、適度の肉厚を有する長方形状の板体からなり、該上下の払拭部材３、４を直角に交差するように配置した。【選択図】図１
2004305649.tif 000002
【特許請求の範囲】
【請求項１】
適宜の長さを持つ把持杆１と、該把持杆１の先端に装着した適度の肉厚と若干の柔軟度を有するパット２と、該パット２の上下面に装着してなるナイロン不織布等の板状で適度の肉厚と柔軟性を持つ払拭部材３、４とからなる砲身内の掃除用具。
【請求項２】
前記払拭部材３、４は、全体が長方形状をなし、上下の払拭部材３、４が前記パット２を介して直角に交差するように配置してなる請求項１記載の砲身内の掃除用具。
【請求項３】
前記把持杆１は、長尺のパイプ１ａと、該パイプ１ａ内に挿入した螺子杆１ｂによって構成され、前記螺子杆１ｂの下部に、前記パット２と該パット２を上下面から挟持するような状態で払拭部材３、４を装着し、上段の払拭部材４に、前記パイプ１ａの圧迫によって払拭部材３、４を前記パット２上に圧接させるための押圧部材５を配設すると共に、前記螺子杆１ｂ上に固定した角型ナット６をパイプ１ａに内接して螺子杆１ｂの回転を防止し前記パイプ１ａの上端面に前記螺子杆１ｂを貫通したワッシャー７を配設し、該ワッシャー７と前記螺子杆１ｂの上端部に螺合した蝶ナット８との間に短管状のスペーサー９を遊嵌介在させてなる請求項１、２記載の砲身内の掃除用具。
【請求項４】
前記パイプ１ａの下部に、長寸の角型ナットとからなる継手部材１０を設置し、該継手部材１０に、前記螺子杆１ｂの下端部を螺入すると共に、前記パット２及び払拭部材３、４に夫々穿設した通し孔にボルト１１を挿入し、該ボルト１１を前記継手部材１０に着脱可能に螺締するようになる請求項３記載の砲身内の掃除用具。
【発明の詳細な説明】
【０００１】
【発明の属する技術分野】
本発明は、火薬を使用して物体を放出する砲身内部の掃除用具に関する。
【０００２】
【従来の技術】
花火の打上げ用の筒、或いは大砲等の砲身特に薬室内には、残さ、さび等が付着し、これを放置しておくと事故を誘発する原因となるために、これらの残さ、さび等などを除去する必要があり、従来これらの掃除用具が皆無であるために、夫々が手作りで棒状の柄の先端に布切れ等を装着し、この布切れに掃除用の特殊な液を含浸させて掃除をしている。
【０００３】
【発明が解決しようとする課題】
前記従来の掃除用具によると、掃除面の充分な摩擦力が得られず、しかも単なる布切れでは腰がないため、残さ、さび等をきれいに除去することが困難であり、この掃除が不充分な状態で花火の打上げ、或いは大砲等を使用すると、思わぬ事故につながるケースがある。本発明は、前記従来の欠点を一掃するために創作されたもので、花火の打上げ筒の内面、或いは砲身内、特に薬室内に付着する残さ、さび等を完全に除去し得る構造簡便にして廉価に製造し得る新規の掃除用具の提供を目的としたものである。
【０００４】
【課題を解決するための手段】
本発明は、前記の目的を達成する手段として、適宜の長さを持つ把持杆１と、該把持杆１の先端に装着した適度の肉厚と若干の柔軟度を有するパット２と、該パット２の上下面に装着してなるナイロン不織布等の板状で適度の肉厚と柔軟性を持つ払拭部材３、４とからなり、前記払拭部材３、４は、全体が長方形状をなし、上下の払拭部材３、４が前記パット２を介して直角に交差するように配置し、又、前記把持杆１は、長尺のパイプ１ａと、該パイプ１ａ内に挿入した螺子杆１ｂによって構成され、前記螺子杆１ｂの下部に、前記パット２と該パット２を上下面から挟持するような状態で払拭部材３、４を装着し、上段の払拭部材４に、前記パイプ１ａの圧迫によって払拭部材３、４を前記パット２上に圧接させるための押圧部材５を配設すると共に、前記螺子杆１ｂ上に固定した角型ナット６をパイプ１ａに内接して螺子杆１ｂの回転を防止し前記パイプ１ａの上端面に前記螺子杆１ｂを貫通したワッシャー７を配設し、該ワッシャー７と前記螺子杆１ｂの上端部に螺合した蝶ナット８との間に短管状のスペーサー９を遊嵌介在させ、更に、前記パイプ１ａの下部に、長寸の角型ナットとからなる継手部材１０を設置し、該継手部材１０に、前記螺子杆１ｂの下端部を螺入すると共に、前記パット２及び払拭部材３、４に夫々穿設した通し孔にボルト１１を挿入し、該ボルト１１を前記継手部材１０に着脱可能に螺締するようにした。
【０００５】
【発明の実施の形態】
本発明の具体的な構成を図にもとづいて説明すると、適宜の長さを持つ把持杆１と、該把持杆１の先端にパット２及び該パット２を挟むようにして上下面に払拭部材３、４を夫々装着し、そして前記パット２は、発泡性樹脂等によって成形され、適度の厚みと収縮を有し、又、前記払拭部材３、４は、ナイロン不織布からなるフェルト状の繊維体であって、適度の肉厚と柔軟性を有する長方形状の板体からなっており、前記パット２を挟んで上下の払拭部材３、４が直角に交差するように配置されている。つぎに、把持杆１は、長尺のパイプ１ａと該パイプ１ａ内に挿入した螺子杆１ｂによって構成され、この螺子杆１ｂ上に固定した角型ナット６をパイプ１ａに内接せしめて螺子杆１ｂの回転を防止し、螺子杆１ｂの下部に前記パット２及び払拭部材３、４を装着し、上段の払拭部材４と前記パイプ１ａの下端部との間に押圧部材５を配設し、パイプ１ａの圧力で押圧部材５が前記払拭部材３、４をパット２の上下面に圧設させるようになる。また、前記パイプ１ａの上端面には前記螺子杆１ｂに挿通したワッシャー７を配置し、該ワッシャー７と前記螺子杆１ｂの上端部に螺合した蝶ナット８との間に短管状のスペーサー９を遊嵌介在させ、蝶ナット８を締める方向に回転するとスペーサー９がパイプ１ａを下方に押圧し、この押圧によって前記押圧部材５が払拭部材３、４をパット２上に圧接させるようになる。さらに、払拭部材３、４の交換を容易にするために、払拭部材３、４及びパット２を着脱可能にする必要があり、この場合は、前記螺子杆１ｂの下部に長寸の角型ナット等からなる継手部材１０を螺着し、この継手部材１０をパイプ１ｂの下方部に格納しておき、前記パット２及び払拭部材３、４に夫々穿設した通し孔１２にボルト１１を挿通し、該ボルト１１を前記継手部材１０に螺締するようになる。尚図中、１３は払拭部材３、４上に配置した座板、１４はスペーサー９の機能向上のために配置した樹脂製のパッキン、１５はスプリング効果を付与したワッシャーを示す。而して、本発明の掃除用具の使用方法について、花火の打上げ筒の掃除を例として説明すると、長方形状の払拭部材３、４の長さ方向の寸法は、打上げ筒Ａの内径より若干長く設定することになり、該払拭部材３、４に掃除用の特殊液を含浸させ、図６に示すように把持杆１を持って前記払拭部材３、４を上下方向に動かすようになる。この操作によって、払拭部材３、４は、筒Ａの内壁面に常に密着した状態で上下方向に摺接することになり、特殊液の効果もあって、内壁面に付着する残さ、さび等をきれいに除去することが可能となるものである。
【０００６】
【発明の効果】
本発明は、前記の構成によって、以下に列挙する諸効果を有する。
（１）払拭部材３、４は、ナイロン不織布とからなるフェルト状の長方形状をした適度の肉厚を有す板体からなっており、全体の腰の強さと適度の柔軟を有し、しかも肉厚のあるパット２の上下面に該パット２をサンドイッチした状態で設置されているものであって、前記の腰の強さ及び適度の柔軟度が一層強調され、掃除面（前記筒Ａ内壁面）に適度の圧力で密着し、把持杆１によって払拭部材３、４を上下に動かすことで残さ、さび等を確実に除去し、且つ操作性が簡便で作業が簡単迅速に遂行し得る利点がある。
（２）把持杆１を構成するパイプ１ａ内に螺子杆１ｂを挿入し、該螺子杆１ｂに固定した角型ナット６を該パイプ１ａの内壁面に密着させて螺子杆１ｂの回転を防止しており、したがって、蝶ナット８を締付方向に回転すると、スペーサー９によってパイプ１ａは下方に押圧され、この押圧によって、払拭部材３、４がパット２上に確実且つ安定的に固定され、払拭部材３、４による払拭効果を最大限に引き出すことができるようになる。
（３）把持杆１のパイプ１ａ下部に、長寸の角型ナットとからなる継手部材１０を設置し、この継手部材１０に螺子杆１ｂの下部を螺合すると共に、パット２及び払拭部材３、４を装着してなるボルト１１を前記継手部材１０に螺締するようにしたもので、消耗品であるパット２及び払拭部材３、４の交換が容易となり、利便を一段と向上せしめる効果が得られ、しかもパイプ１ａの押圧によって払拭部材３、４の固定も確実に達成することができ、払拭効果に悪影響を及ぼす虞れは全くない。
【図面の簡単な説明】
【図１】本発明に係る掃除用具の斜視図
【図２】本発明の掃除用具の縦断面図
【図３】他の実施例を示す掃除用具の縦断面図
【図４】同上分解斜視図
【図５】同上要部の断面拡大図
【図６】使用状況を示す斜視図
【符号の説明】
１      把持杆
２      パット
３、４  払拭部材
５      押圧部材
６      角型ナット
７      ワッシャー
８      蝶ナット
９      スペーサー
１０    継手部材
１１    ボルト
【図１】
2004305649.tif 000003
【図２】
2004305649.tif 000004
【図３】
2004305649.tif 000005
【図４】
2004305649.tif 000006
【図５】
2004305649.tif 000007
【図６】
2004305649.tif 000008